(57)【特許請求の範囲】
【請求項１】
絞り値及びシャッタ速度が固定で、ＩＳＯ感度がＳのフイルムを用いるカメラにおいて、
前記フイルムとしてネガフイルムよりもラチチュードが狭いインスタントフイルム又はリバーサルフイルムを用いるとともに、前記絞り値及びシャッタ速度をそれぞれＦ１１以上の絞り値Ｆ，１／３０（秒）以上のシャッタ速度Ｔ（秒）としたとき、次の数式１の条件を満足し、かつ絞り値Ｆ，ＩＳＯ感度Ｓ，１〜３ｍの撮影距離範囲で、前記フイルムにラチチュード内の露光量を与えるように調光するオートストロボを内蔵し、このオートストロボを作動させながら撮影を行うことを特徴とするカメラ。
【数１】
0003563760.tif 000002
【発明の詳細な説明】
【０００１】
【産業上の利用分野】
本発明は、高精度な露出が行えるローコストのカメラに関するものである。
【０００２】
【従来の技術】
ラチチュードの狭いフイルム，例えばインスタントフイルムやリバーサルフイルム等を適正露出で撮影するには、露出誤差が例えば±１／３ＥＶ〜±１／２ＥＶ以内の高精度な露出調節を行う必要がある。このため、ラチチュードの狭いフイルムを使って撮影を行うカメラには、高精度の測光装置と、シャッタ速度，絞り値等を高精度に制御する露出装置が必要である。
【０００３】
また、ローコストなカメラとしては、レンズ付きフイルムユニット等のように、絞り値が固定で単一速度のシャッタを用いたものが知られている。ストロボを内蔵したものもあるが、その光量は一定であり、フイルムのラチチュードに頼っている。
【０００４】
【発明が解決しようとする課題】
しかしながら、上記のような高精度の測光装置や露出装置を備えたカメラは、当然ながらコスト高になるという欠点がある。
【０００５】
また、上記のようなローコストカメラにおいては、ストロボ有，なしのいずれの場合においても、露光量制御はなされておらず、ネガフイルムの広いラチチュードに頼っているため、インスタントフイルムやリバーサルフイルム等のラチチュードの狭いフイルム使用するカメラにおいては適正露出の写真を得ることができないという問題点があった。
【０００６】
本発明は、以上のような課題を解決するためになされたもので、狭いラチチュードのフイルムに対しても適正露出の撮影を行うことができるローコストのカメラを提供することを目的とするものである。
【０００７】
【課題を解決するための手段】
上記課題を解決するために、本発明のカメラは、絞り値及びシャッタ速度が固定で、ＩＳＯ感度がＳのフイルムを用いるカメラにおいて、フイルムとしてネガフイルムよりもラチチュードが狭いインスタントフイルム又はリバーサルフイルムを用いるとともに、絞り値及びシャッタ速度をそれぞれＦ１１以上の絞り値Ｆ，１／３０（秒）以上のシャッタ速度Ｔ（秒）としたとき、次の数式２の条件を満足し、かつ絞り値Ｆ，ＩＳＯ感度Ｓ，１〜３ｍの撮影距離範囲で、前記フイルムにラチチュード内の露光量を与えるように調光するオートストロボを内蔵し、このオートストロボを作動させながら撮影を行うものである。
【０００８】
【数２】
２ｌｏｇ２Ｆ＋ｌｏｇ２（１／Ｔ）−ｌｏｇ２（Ｓ／１００）＞８
【００１０】
【作用】
一般に、室内の明るさは、通常６〜９ＥＶ程度であり、極めて明るい場合でも１１ＥＶ程度である。このため、カメラを室内専用とし、大きく露出不足となるようなシャッタ速度と絞り値を選び、オートストロボによって露出を与えるようにすれば、たとえシャッタ速度と絞り値が固定のカメラであっても、フイルムにラチチュード内の露光量を与えることができる。絞り値とシャッタ速度がそれぞれＦ，Ｔで固定され、ＩＳＯ感度がＳのフイルムを用いるカメラで、ストロボを用いない場合に適正露出となる被写体輝度値ＥＶａは次の数式３で表される。
【００１１】
【数３】
ＥＶａ＝２ｌｏｇ２Ｆ＋ｌｏｇ２（１／Ｔ）−ｌｏｇ２（Ｓ／１００）
【００１２】
今実際に撮影しようとする被写体輝度値（例えば室内光によって照明された被写体の輝度値）をＥＶ０  とすると、これと被写体輝度値ＥＶａとの差は、次の数式４のようになる。
【００１３】
【数４】
ＥＶ＝ＥＶ０  −ＥＶａ
【００１４】
調光範囲内であれば、暗黒中でフイルムに適正露光量を与えるオートストロボを上記のようなカメラと組み合わせると、ストロボ光と室内光とよる合計露光量と適正露光量との差である相対露光量ＥＶｓは、次の数式５のようになる。
【００１５】
【数５】
ＥＶｓ＝ｌｏｇ２（１＋２ＥＶ）
【００１６】
ラチチュードを±０．５ＥＶとすると、｜ＥＶｓ｜＜０．５となるようなＥＶａを選べばよいことになる。数式５を変形すると、
２ＥＶｓ  ＝１＋２ＥＶ
２ＥＶ＝２ＥＶｓ  −１
両辺の対数をとって
ＥＶ＝ｌｏｇ２（２ＥＶｓ  −１）
これに、数式４を代入して、次の数式６を得る。
【００１７】
【数６】
ＥＶ０  ＝ＥＶａ＋ｌｏｇ２（２ＥＶｓ  −１）
【００１８】
ここで、ＥＶａ＝８とすれば、ＥＶｓ＝＋０．５のとき、ＥＶ０  ＝６．７３となる。したがって、次の数式７の条件を満足すれば、室内の明るさがＥＶ６．７３まで、フイルムにラチチュード内の露光量を与えることができることがわかる。
【００１９】
【数７】
２ｌｏｇ２Ｆ＋ｌｏｇ２（１／Ｔ）−ｌｏｇ２（Ｓ／１００）＞８
【００２０】
【実施例】
図２において、本発明を実施した使い切り型インスタントカメラは、撮影機構等が内蔵されたカメラ本体３と、これを収納する外ケース４とから構成されている。カメラ本体３には、シャッタレリーズ操作を行うシャッタボタン５，撮影範囲を視認するファインダ６，ストロボ発光部７ａ及び調光用の受光窓７ｂを有するオートストロボ装置７（図３参照）や、オートストロボ装置７への充電を行う充電開始スイッチ８，撮影開口１０等が設けられている。
【００２１】
充電開始スイッチ８は、撮影時にカメラ本体３を構えると、カメラ本体３を保持する手の指が自然と触れる位置にあり、撮影時には必ず充電状態になるようにしてある。また、カメラ本体３の上面には、撮影済みのフイルムユニット２０が排出される排出口９が設けられている。外ケース４には、前記操作部材等を露出させるための穴が形成されている。なお、フイルムユニット２０は、周知のように、上端部には現像処理液が収納されたポッド部２０ａ，中央部の画像記録部を挟んで下端部には余剰の現像処理液を吸収するトラップ部２０ｂがそれぞれ設けられたモノシートタイプのフイルムユニットである。
【００２２】
カメラ本体３の縦断面を示す図３において、カメラ本体３は、シャッタ機構等の撮影装置が組み込まれた本体基部１１と、この本体基部１１の前面側から被せられてカメラ本体３の外殻となる前カバー１２と、本体基部１１と前カバー１２とに係合してカメラ本体３の背面側を覆う裏蓋１３とから構成されている。
【００２３】
本体基部１１は不透明な樹脂で成形されており、光軸１５の撮影光路を覆う遮光筒１６が形成されている。遮光筒１６の前部には、絞り開口１６ａが形成され、これを覆うように、撮影レンズ１７とシャッタ羽根１８とが組付けられたレンズホルダ１９が取り付けられている。
【００２４】
絞り開口１６ａの径（絞り値Ｆ）及びシャッタ羽根１８の開閉速度（シャッタ速度Ｔ）は、下記の数式８を満たす値であり、例えばＦ１４，１／１００（秒）とする。なお、この絞り値Ｆ１４は室内の明るさに影響を受けにくい値，シャッタ速度１／１００（秒）は手振れを起こしにくい値として選択している。
【００２５】
【数８】
２ｌｏｇ２Ｆ＋ｌｏｇ２（１／Ｔ）−ｌｏｇ２（Ｓ／１００）＞８
【００２６】
この数式８にＦ＝１４，Ｔ＝１／１００，Ｓ＝８００を代入すると、
２ｌｏｇ２Ｆ＋ｌｏｇ２（１／Ｔ）−ｌｏｇ２（Ｓ／１００）＝１１．２６＞８
となって、この絞り値Ｆ＝１４，シャッタ速度Ｔ＝１／１００，フイルム感度Ｓ＝８００の条件で数式８を満たすことが分かる。この数式８の左辺は、絞り値Ｆ，シャッタ速度Ｔ，フイルム感度Ｓの組み合わせで決まる露光量，すなわちこの条件で適正となるべき明るさを示しており、室内光が８ＥＶであるとき、
８−１１．２６＝−３．２６ＥＶ
となって、３．２６ＥＶだけ露出不足になる。したがって、これをストロボ光によって補足すればよい。被写体との距離がオートストロボ装置７による調光範囲内であれば、適正露光量に対する相対露光量は、
ｌｏｇ２（１＋２−３．２６  ）＝０．１４ＥＶ
この値は、ほぼフイルムユニット２０のラチチュード（例えば±０．３ＥＶ）内に入る。
【００２７】
図１において、直線Ａは室内光だけによる露光量を示し、曲線Ｂはストロボ光と室内光による合成露光量を示す。この図から分かるように、室内の明るさが約９．１ＥＶ以下のときには、フイルムユニット２０のラチチュード，±０．３ＥＶ内に入って適正露光となる。すなわち、室内の明るさが約９．１ＥＶ以下のときには、ストロボ光なしで適正となるべき露光量と室内の明るさとの差は、１１．２６−９．１＝２．１６ＥＶ以上になる。この値は、ラチチュードの狭いフイルムユニット２０にとっては、明瞭には画像を形成できない程度に大きな露出不足になることを示している。これを調光されたストロボ光で補うから、絞りやシャッタ速度が固定でも適正露出で撮影できる。なお、オートストロボ装置７は、感度ＩＳＯ８００のフイルムを使用し、絞り値Ｆ１４の状態で、通常の撮影距離範囲内，例えば１〜３ｍの暗黒中に適正露出となるように調光を行う。
【００２８】
本体基部１１には遮光筒１６と連なって、例えば感度がＩＳＯ８００のフイルムユニット２０を複数枚収納するフイルムユニット収納室２１が一体に設けられている。このフイルムユニット収納室２１は、フイルムパックを用いずに直接フイルムユニット２０を収納するもので、遮光筒１６との連結部にはフイルムユニット２０の露光範囲外と接する受け面２２と、フイルムユニット２０への露光範囲を決定するアパーチャ２３とが形成されている。
【００２９】
フイルムユニット収納室２１の上面には、撮影されたフイルムユニット２０を排出するための排出口２５が設けられており、排出口２５のさらに上部には、フイルムユニット２０を挟み込んで排出するとともに、ポッド部２０ａを裂開して現像液を露光面に展開する展開ローラ２６ａ，２６ｂが配置されている。この展開ローラ２６ａ，２６ｂの一端にはギア２７ａ，２７ｂが固着されており、ギア同士は噛合されている。また、ギア２７ａには大径のギア２８が固着されており、遮光筒１６の下部に配置されたモータ２９に連結された駆動ギアが噛合している。また、展開ローラ２６ａ，２６ｂの上部には、前カバー１２に一体に設けられたフイルム通路３０が配置されており、このフイルム通路３０が前述の排出口９に連なっている。そして、フイルムユニット２０はフイルムユニット収納室２１の排出口２５と展開ローラ２６ａ，２６ｂの間と、フイルム通路３０とカメラ本体３の排出口９とを経て外部に排出される。
【００３０】
前カバー１２は、不透明な樹脂で成形されており、前述したストロボ発光部７ａ，受光窓７ｂ，シャッタボタン５，ファインダ６等を露出させるための穴が設けられている。そして、前カバー１２を本体基部１１に被せた時に遮光筒１６の下部にできるスペースには、前述のモータ２９と、このモータ２９を駆動するための駆動回路が設けられたプリント基板３２が配置されている。
【００３１】
裏蓋１３は、本体基部１１の背面側に取り付けられてフイルムユニット収納室２１を遮光する。この取付けは、裏蓋１３の内側の上下部に設けられた突起１３ａ，１３ｂを本体基部１１の穴１１ａ，１１ｂに係合し、外周を超音波溶着で固定している。また、裏蓋１３の内側には金属製の圧板３４が取り付けられており、フイルムユニット収納室２１に入ってフイルムユニット２０を背面側から押圧する。この圧板３４は、裏蓋１３に形成された爪３５ａ，３５ｂに係合されて着脱自在となっており、再使用可能となっている。
【００３２】
このように構成された使い切り型インスタントカメラは、明るさが約９．１ＥＶ以下の室内で使用する。まず、撮影者は使い切り型インスタントカメラを保持し、背面側の接眼側ファインダ（図示せず）を覗き、オートストロボ装置７の調光範囲内（カメラから１〜３ｍ）にある被写体を視認する。このとき、充電開始スイッチ８が左手の指によって押圧され、オートストロボ装置７への充電が開始される。この後、充電完了を示すパイロットランプ（図示せず）を確認してから、シャッタボタン５を押圧する。
【００３３】
ストロボ発光部７ａから被写体に向けてストロボ光が放出されると同時にシャッタ羽根１８が開放される。被写体で反射して戻ってきた光を受光窓７ｂで測光し、絞り開口１６ａに対応した適正露光量になった時点で、ストロボ光の放出が停止される。撮影レンズ１７を通して遮光筒１６に進入した光は、遮光筒１６とフイルムユニット収納室２１との境に設けられたアパーチャ２３を通過して最前面のフイルムユニット２０の露光面に達し、これを露光する。
【００３４】
この後、モータ２９が回転を開始し、駆動ギアを介してクロー部材と展開ローラ２６ａ，２６ｂを駆動する。まず、クロー部材がフイルムユニット２０を上方へ掻き上げ、排出口２５を通して展開ローラ２６ａ，２６ｂの間に送る。展開ローラ２６ａ，２６ｂにニップされたフイルムユニット２０は、展開ローラ２６ａ，２６ｂの回転により上方に向けて移動されながら押圧されてポッド部２０ａが裂開する。ポッド部２０ａの裂開により放出された現像液は、展開ローラ２６ａ，２６ｂにより露光面に展延されて現像を行う。また、露光面に展延後に余った現像液はトラップ部２０ｂによって吸収される。
【００３５】
フイルムユニット２０は、展開ローラ２６ａ，２６ｂによってさらに上方に送られて、展開ローラ上部の排出通路３０に進入する。そして、排出口９を通ってカメラ本体３の外部に排出される。この撮影済みフイルムユニット２０の排出と同時に、圧板３４はフイルムユニット２０を背面側から押圧して次層のフイルムユニット２０を受け面２２に押しつける。
【００３６】
以上説明した実施例は使い切り型インスタントカメラであったが、本発明は例えばリバーサルフイルムを予め内蔵したレンズ付きフイルムユニット等に実施することもできる。また、数式８を満たす絞り値，シャッタ速度，フイルム感度の組み合わせ例として、Ｆ１４，１／１００（秒），ＩＳＯ８００を挙げたが、本発明はこれらの数値に限定されることなく、別の数値の組み合わせを用いてもよい。ただし、絞り値は、ＩＳＯ８００のフイルムを用いた場合、例えばＦ１１以下になると、室内光の影響を大きく受けるようになるため、好ましくない。また、シャッタ速度は、１／３０（秒）以下になると、手振れを起こしやすくなって好ましくない。また、数式８の右辺の値を８ＥＶとしたが、これをさらに大きく、例えば１０ＥＶ，さらに好ましくは１２ＥＶに設定しておき、その数式８を満たすように絞り値Ｆ，シャッタ速度Ｔ，フイルム感度Ｓを定めておけば、ストロボ光以外の光（室内光や外光）の影響がさらに少なくなる。ただし、この場合、フイルム感度Ｓは、これを大きくすると、室内光の影響が大きくなるから、ＩＳＯ８００以下が好ましい。
【００３７】
【発明の効果】
以上詳細に説明したように、本発明のカメラによれば、Ｆ１１以上の絞り値Ｆ，１／３０（秒）以上のシャッタ速度Ｔ，ＩＳＯ感度Ｓが、２log2Ｆ＋log2（１／Ｔ）−log2（Ｓ／１００）＞８の条件を満足し、かつ絞り値Ｆ，ＩＳＯ感度Ｓ，１〜３ｍの撮影距離範囲内で適正となる調光範囲をもつオートストロボを内蔵し、このオートストロボを作動させながら撮影を行うので、ストロボ光以外の光の影響を殆ど受けることなく、自動調光されたストロボ光のみで撮影することができる。したがって、絞り値が固定，シャッタ速度が単一の簡易でローコストなカメラで、ラチチュードが狭いインスタントフイルムやリバーサルフイルム等を用いても適正露出で撮影することができる。
【図面の簡単な説明】
【図１】使い切り型インスタントカメラによる露光状態を示すグラフである。
【図２】使い切り型インスタントカメラの外観を示す斜視図である。
【図３】使い切り型インスタントカメラの内部構造の概略を示す断面図である。
【符号の説明】
７  オートストロボ装置
７ａ  ストロボ発光部
７ｂ  受光窓
８  充電開始スイッチ
１６ａ  絞り開口
２０  フイルムユニット
【図１】
0003563760.tif 000003
【図２】
0003563760.tif 000004
【図３】
0003563760.tif 000005